(57)【要約】      （修正有）【課題】同期整流式の整流平滑回路を有して出力電圧への変換効率を高め、かつコスト上昇を回避しつつ、出力電圧と出力電流の最大値とを変更可能にする。【解決手段】電源装置１は、トランス３の二次巻線１２１〜１２３のそれぞれに接続された同期整流部５１〜５３と、接続された対応する同期整流部５１〜５３から出力される電圧Ｖ１を出力電圧Ｖ２に平滑する平滑部６１〜６３と、同期整流部５１〜５３のそれぞれに配設されて、配設された同期整流部５１〜５３に接続された平滑部６から出力される出力電圧Ｖ２および対応する二次巻線１２に発生する交流電圧Ｖａｃのいずれか一方のみまたは両方のみで動作して対応する同期整流部の同期整流スイッチ素子３１、３２を駆動するスイッチ駆動部７１〜７３と、平滑部６１〜６３の後段に配設されて、平滑部６１〜６３の出力を並列および直列のうちの選択された一方の態様で接続する出力接続部８と、を備える。【選択図】図１
2020150570.tif 000002
【特許請求の範囲】
【請求項１】
一次巻線および同一巻数に形成された複数の二次巻線を有するトランスと、
前記一次巻線に直流電圧を断続的に印加する一次側スイッチング部と、
同期整流スイッチ素子を含んで同一に構成されると共に前記複数の二次巻線のそれぞれに接続されて、対応する当該二次巻線に発生する交流電圧を同期整流する当該二次巻線と同数の複数の同期整流部と、
平滑コンデンサを含んで同一に構成されると共に前記複数の同期整流部のそれぞれに接続されて、対応する当該同期整流部から出力される電圧を平滑して直流電圧として出力する前記二次巻線と同数の複数の平滑部と、
前記複数の同期整流部のそれぞれに配設されて、配設された当該同期整流部に接続された対応する前記平滑部から出力される前記直流電圧および当該同期整流部が接続された対応する前記二次巻線に発生する前記交流電圧のうちのいずれか一方のみまたは両方のみで動作して当該同期整流部を構成する前記同期整流スイッチ素子を駆動するスイッチ駆動部と、
前記複数の平滑部の後段に配設されて、当該複数の平滑部の出力を並列および直列のうちの選択された一方の態様で接続する出力接続部とを備えて、当該複数の平滑部から出力される前記直流電圧を当該一方の態様に対応した出力電圧に変換して出力する電源装置。
【請求項２】
一次巻線、同一巻数に形成された複数の二次巻線、および当該複数の二次巻線のそれぞれに対応すると共に同一巻数に形成された当該二次巻線と同数の補助巻線を有するトランスと、
前記一次巻線に直流電圧を断続的に印加する一次側スイッチング部と、
同期整流スイッチ素子を含んで同一に構成されると共に前記複数の二次巻線のそれぞれに接続されて、対応する当該二次巻線に発生する交流電圧を同期整流する当該二次巻線と同数の複数の同期整流部と、
平滑コンデンサを含んで同一に構成されると共に前記複数の同期整流部のそれぞれに接続されて、対応する当該同期整流部から出力される電圧を平滑して直流電圧として出力する前記二次巻線と同数の複数の平滑部と、
前記複数の同期整流部のそれぞれに配設されて、配設された当該同期整流部に接続された対応する前記平滑部から出力される前記直流電圧および当該同期整流部が接続された対応する前記二次巻線に発生する前記交流電圧のうちのいずれか一方または両方と、当該二次巻線に対応する前記補助巻線に発生する電圧とのみで動作して当該同期整流部を構成する前記同期整流スイッチ素子を駆動するスイッチ駆動部と、
前記複数の平滑部の後段に配設されて、当該複数の平滑部の出力を並列および直列のうちの選択された一方の態様で接続する出力接続部とを備えて、当該複数の平滑部から出力される前記直流電圧を当該一方の態様に対応した出力電圧に変換して出力する電源装置。
【請求項３】
入力ラインに接続される一対の入力端子、当該一対の入力端子に一対の電源ラインを介して接続されると共に前記入力ラインと当該一対の入力端子と当該一対の電源ラインとを介して入力される交流入力電圧を整流平滑して前記一次側スイッチング部に出力する整流平滑部、および前記一対の電源ラインに介装されたヒューズまたはブレーカを備えている請求項１または２記載の電源装置、並びに当該電源装置の後段に接続されると共に当該電源装置からの前記出力電圧に基づいて動作する医療機器を備えている医療システム。
【請求項４】
入力ラインに接続される一対の入力端子、および当該一対の入力端子に接続されると共に前記入力ラインと当該一対の入力端子とを介して入力される交流入力電圧を整流平滑して前記一次側スイッチング部に出力する整流平滑部を備えている請求項１または２記載の電源装置と、
前記入力ラインに介装されたヒューズまたはブレーカと、
前記電源装置の後段に接続されると共に当該電源装置からの前記出力電圧に基づいて動作する医療機器とを備えている医療システム。
【請求項５】
入力ラインに接続される一対の入力端子、当該一対の入力端子に一対の電源ラインを介して接続されると共に前記入力ラインと当該一対の入力端子と当該一対の電源ラインとを介して入力される交流入力電圧を整流平滑して前記一次側スイッチング部に出力する整流平滑部、および前記一対の電源ラインのうちの一方の電源ラインに介装された第１ヒューズまたは第１ブレーカを備えている請求項１または２記載の電源装置と、
前記一対の電源ラインのうちの他方の電源ラインに前記入力端子を介して接続される前記入力ラインに介装された第２ヒューズまたは第２ブレーカと、
前記電源装置の後段に接続されると共に当該電源装置からの前記出力電圧に基づいて動作する医療機器とを備えている医療システム。
【発明の詳細な説明】
【技術分野】
【０００１】
本発明は、トランスの複数の二次側回路の接続態様を変更することで、最終的な出力電圧を変更可能に構成された電源装置、およびこの電源装置を備えた医療システムに関するものである。
【背景技術】
【０００２】
この種の電源装置として、下記の特許文献１に開示された電源装置（可変電源装置）が知られている。この電源装置は、直流電圧を発生する複数のスイッチング電源と、複数のスイッチング電源にそれぞれ設けられ、切替信号により対応するスイッチング電源を電圧供給路に挿入接続（選択的に直列接続）し、若しくは電圧供給路から切り離すスイッチ手段と、指令電圧の情報を受けて、この指令電圧に見合う出力電圧が電圧供給路の両端間に生成されるように、スイッチ手段の各々に切替信号を送出する切替制御手段とを備えている。
【０００３】
この電源装置では、切替制御手段が、指令電圧の情報を受けてスイッチ手段の各々に切替信号を送出し、スイッチ手段が、切替信号によりスイッチング電源を電圧供給路に挿入接続したり、電圧供給路から切り離したりするため、指令電圧に見合う出力電圧を電圧供給路の両端間に生成させることが可能となっている。
【先行技術文献】
【特許文献】
【０００４】
【特許文献１】特開２００９−４４９０９号公報（第４−６頁、第１−２図）
【発明の概要】
【発明が解決しようとする課題】
【０００５】
ところで、通常のスイッチング電源には、トランスの二次巻線に接続されて、この二次巻線に生じる交流電圧を直流電圧に変換する整流平滑回路が一般的に設けられている。また、近年の通常のスイッチング電源では、この整流平滑回路での損失を低減するために（整流平滑回路での変換効率を高めるために）、同期整流式の整流平滑回路が使用されることが多い。この同期整流式の整流平滑回路では、オン抵抗の低い電界効果型トランジスタ（特に、ＭＯＳＦＥＴ）を整流素子として使用すると共に、二次巻線における交流電圧の発生タイミングに基づき電界効果型トランジスタに対する駆動信号を生成する駆動制御部を設けて、この電界効果型トランジスタを交流電圧の発生タイミングに同期させてオン・オフさせている。
【０００６】
また、同期整流式の整流平滑回路を有する電源装置において、複数のスイッチング電源を選択的に直列接続して、指令電圧に見合う出力電圧を電圧供給路の両端間に生成させ得るようにした背景技術としての上記の電源装置（可変電源装置）と同等の機能を持たせるために、トランスに複数の二次巻線を設けると共に各二次巻線に同期整流式の整流平滑回路を接続して、この複数の整流平滑回路を選択的に直列接続し、かつ各整流平滑回路に含まれている電界効果型トランジスタを共通の駆動制御部で生成される駆動信号でオン・オフさせる構成を採用することも考えられる。
【０００７】
しかしながら、共通の駆動制御部で生成される駆動信号によって各整流平滑回路の電界効果型トランジスタをオン・オフさせる構成では、直列接続時に他の整流平滑回路に積み上げられる整流平滑回路の電界効果型トランジスタに対して、この他の整流平滑回路から出力される出力電圧の積算電圧分だけ高い電圧の駆動信号をゲート端子に印加する必要があることから、ゲート電圧に対する耐性の高い高価な電界効果型トランジスタを使用しなければならないため、製品コストが上昇するという課題が生じる。
【０００８】
また、電源装置としては、出力電圧を変更し得る上記の機能に加えて、出力電流の最大値を変更し得る機能を備えていることが、より好ましい。
【０００９】
本発明は、かかる課題を解決するためになされたものであり、同期整流式の整流平滑回路を有して出力電圧への変換効率を高め、かつ製品コストの上昇を回避しつつ、出力電圧を変更する機能と出力電流の最大値を変更する機能を備えた電源装置、およびこの電源装置を備えた医療システムを提供することを主目的とする。
【課題を解決するための手段】
【００１０】
上記目的を達成すべく、本発明に係る電源装置は、一次巻線および同一巻数に形成された複数の二次巻線を有するトランスと、前記一次巻線に直流電圧を断続的に印加する一次側スイッチング部と、同期整流スイッチ素子を含んで同一に構成されると共に前記複数の二次巻線のそれぞれに接続されて、対応する当該二次巻線に発生する交流電圧を同期整流する当該二次巻線と同数の複数の同期整流部と、平滑コンデンサを含んで同一に構成されると共に前記複数の同期整流部のそれぞれに接続されて、対応する当該同期整流部から出力される電圧を平滑して直流電圧として出力する前記二次巻線と同数の複数の平滑部と、前記複数の同期整流部のそれぞれに配設されて、配設された当該同期整流部に接続された対応する前記平滑部から出力される前記直流電圧および当該同期整流部が接続された対応する前記二次巻線に発生する前記交流電圧のうちのいずれか一方のみまたは両方のみで動作して当該同期整流部を構成する前記同期整流スイッチ素子を駆動するスイッチ駆動部と、前記複数の平滑部の後段に配設されて、当該複数の平滑部の出力を並列および直列のうちの選択された一方の態様で接続する出力接続部とを備えて、当該複数の平滑部から出力される前記直流電圧を当該一方の態様に対応した出力電圧に変換して出力する。
【００１１】
本発明に係る電源装置は、一次巻線、同一巻数に形成された複数の二次巻線、および当該複数の二次巻線のそれぞれに対応すると共に同一巻数に形成された当該二次巻線と同数の補助巻線を有するトランスと、前記一次巻線に直流電圧を断続的に印加する一次側スイッチング部と、同期整流スイッチ素子を含んで同一に構成されると共に前記複数の二次巻線のそれぞれに接続されて、対応する当該二次巻線に発生する交流電圧を同期整流する当該二次巻線と同数の複数の同期整流部と、平滑コンデンサを含んで同一に構成されると共に前記複数の同期整流部のそれぞれに接続されて、対応する当該同期整流部から出力される電圧を平滑して直流電圧として出力する前記二次巻線と同数の複数の平滑部と、前記複数の同期整流部のそれぞれに配設されて、配設された当該同期整流部に接続された対応する前記平滑部から出力される前記直流電圧および当該同期整流部が接続された対応する前記二次巻線に発生する前記交流電圧のうちのいずれか一方または両方と、当該二次巻線に対応する前記補助巻線に発生する電圧とのみで動作して当該同期整流部を構成する前記同期整流スイッチ素子を駆動するスイッチ駆動部と、前記複数の平滑部の後段に配設されて、当該複数の平滑部の出力を並列および直列のうちの選択された一方の態様で接続する出力接続部とを備えて、当該複数の平滑部から出力される前記直流電圧を当該一方の態様に対応した出力電圧に変換して出力する。
【００１２】
したがって、これらの電源装置によれば、同期整流部および平滑部で構成される同期整流式の整流平滑回路を有してこの回路からの出力電圧および出力電流、ひいては出力接続部からの出力電圧および出力電流への変換効率を高め、かつゲート電圧に対する耐性の低い安価な電界効果型トランジスタを同期整流スイッチ素子に使用可能とすることで製品コストの上昇を回避しつつ、各平滑部の後段に配設された出力接続部において各平滑部の出力が直列で接続される態様を選択することで、電源装置からの出力電圧を変更したり、出力接続部において各平滑部の出力が並列で接続される態様を選択することで、電源装置からの出力電流の最大値を変更したりすることができる。
【００１３】
本発明に係る医療システムは、入力ラインに接続される一対の入力端子、当該一対の入力端子に一対の電源ラインを介して接続されると共に前記入力ラインと当該一対の入力端子と当該一対の電源ラインとを介して入力される交流入力電圧を整流平滑して前記一次側スイッチング部に出力する整流平滑部、および前記一対の電源ラインに介装されたヒューズまたはブレーカを備えている上記のいずれかの電源装置、並びに当該電源装置の後段に接続されると共に当該電源装置からの前記出力電圧に基づいて動作する医療機器を備えている。
【００１４】
したがって、この医療システムによれば、上記の電源装置が強化絶縁されたトランスを備えている構成において、さらに一対の電源ラインにヒューズまたはブレーカを備えることで、電源装置単体で医療用規格を取得可能な構成を有しているため、電源装置の外部（具体的には、電源装置に接続される入力ライン）に絶縁トランスおよびヒューズ（またはブレーカ）を介装することなく、医療用規格を取得可能な構成を実現することができる。また、この医療システムによれば、上記の電源装置を備えたことにより、上記した電源装置単体での効果を奏することができる。
【００１５】
本発明に係る医療システムは、入力ラインに接続される一対の入力端子、および当該一対の入力端子に接続されると共に前記入力ラインと当該一対の入力端子とを介して入力される交流入力電圧を整流平滑して前記一次側スイッチング部に出力する整流平滑部を備えている上記のいずれかの電源装置と、前記入力ラインに介装されたヒューズまたはブレーカと、前記電源装置の後段に接続されると共に当該電源装置からの前記出力電圧に基づいて動作する医療機器とを備えている。
【００１６】
したがって、この医療システムによれば、電源装置が強化絶縁されたトランスを備えている構成において、電源装置の外部（具体的には、電源装置に接続される入力ライン）にヒューズ（またはブレーカ）を介装するだけで、医療用規格を取得可能な構成を実現することができる。また、この医療システムによれば、上記の電源装置を備えたことにより、上記した電源装置単体での効果を奏することができる。
【００１７】
本発明に係る医療システムは、入力ラインに接続される一対の入力端子、当該一対の入力端子に一対の電源ラインを介して接続されると共に前記入力ラインと当該一対の入力端子と当該一対の電源ラインとを介して入力される交流入力電圧を整流平滑して前記一次側スイッチング部に出力する整流平滑部、および前記一対の電源ラインのうちの一方の電源ラインに介装された第１ヒューズまたは第１ブレーカを備えている上記のいずれかの電源装置と、前記一対の電源ラインのうちの他方の電源ラインに前記入力端子を介して接続される前記入力ラインに介装された第２ヒューズまたは第２ブレーカと、前記電源装置の後段に接続されると共に当該電源装置からの前記出力電圧に基づいて動作する医療機器とを備えている。
【００１８】
したがって、この医療システムによれば、電源装置が強化絶縁されたトランスを備えている構成において、さらに一方の電源ラインに介装された第１ヒューズまたは第１ブレーカを内部に備えているため、電源装置の外部に（具体的には、電源装置に接続される入力ラインのうちの他方の電源ラインに接続される入力ラインに第２ヒューズまたは第２ブレーカを介装するだけで、医療用規格を取得可能な構成を実現することができる。また、この医療システムによれば、上記の電源装置を備えたことにより、上記した電源装置単体での効果を奏することができる。
【発明の効果】
【００１９】
本発明の電源装置によれば、同期整流式の整流平滑回路を有して出力電圧への変換効率を高め、かつ製品コストの上昇を回避しつつ、出力電圧と出力電流の最大値とを変更することができる。また、本発明の医療システムによれば、この電源装置を備えて、この電源装置単体での効果を奏しつつ、医療用規格を取得可能な構成を実現することができる。
【図面の簡単な説明】
【００２０】
【図１】電源装置１の構成を示す構成図である。
【図２】一次側スイッチング部４およびトランス３について、シングルエンディッドフォーワード方式を採用したときの二次巻線１２１、同期整流部５１および平滑部６１の各構成図である。
【図３】一次側スイッチング部４およびトランス３について、シングルエンディッドフォーワード方式を採用したときの二次巻線１２１、同期整流部５１および平滑部６１の他の各構成図である。
【図４】一次側スイッチング部４およびトランス３について、シングルエンディッドフォーワード方式を採用したときの二次巻線１２１、同期整流部５１および平滑部６１のさらなる他の各構成図である。
【図５】一次側スイッチング部４およびトランス３について、シングルエンディッドフォーワード方式を採用したときの二次巻線１２１、同期整流部５１および平滑部６１のさらなる他の各構成図である。
【図６】一次側スイッチング部４およびトランス３について、プッシュプル方式を採用したときの二次巻線１２１、同期整流部５１および平滑部６１の各構成図である。
【図７】一次側スイッチング部４およびトランス３について、ハーフブリッジ方式を採用したときの二次巻線１２１、同期整流部５１および平滑部６１の各構成図である。
【図８】一次側スイッチング部４およびトランス３について、フルブリッジ方式を採用したときの二次巻線１２１、同期整流部５１および平滑部６１の各構成図である。
【図９】電源装置１を備えた医療システムＭＥＳ１の構成図である。
【図１０】電源装置１を備えた医療システムＭＥＳ２の構成図である。
【図１１】電源装置１を備えた医療システムＭＥＳ３の構成図である。
【発明を実施するための形態】
【００２１】
以下、電源装置および医療システムの実施の形態について、図面を参照しつつ説明する。
【００２２】
最初に、電源装置の一例としての電源装置１の構成について図１を参照して説明する。この電源装置１は、一例として、一対の入力端子２ａ，２ｂ（以下、特に区別しないときには入力端子２ともいう）、トランス３、一次側スイッチング部４、複数の同期整流部５（同図では一例として、トランス３の後述するように３つ形成された二次巻線１２の数に対応して３つの同期整流部５１，５２，５３。以下、特に区別しないときには同期整流部５ともいう）、同期整流部５と同数の平滑部６１，６２，６３（以下、特に区別しないときには平滑部６ともいう）、同期整流部５１，５２，５３のそれぞれに対応して配設されたスイッチ駆動部７１，７２，７３（以下、特に区別しないときにはスイッチ駆動部７ともいう）、出力接続部８、および一対の出力端子９ａ，９ｂ（以下、特に区別しないときには出力端子９ともいう）を備え、入力端子２ａ，２ｂ間に入力される直流入力電圧Ｖｉｎ（入力端子２ａの電位が入力端子２ｂの電位を基準として高電位となる直流電圧）に基づいて、出力電圧としての直流出力電圧Ｖｏｕｔを生成して、出力端子９ａ，９ｂ間に出力する（出力端子９ａの電位が出力端子９ｂの電位を基準として高電位となる状態で出力する）。
【００２３】
トランス３は、一次巻線１１、二次巻線１２、および一次巻線１１と二次巻線１２とを磁気的に結合させる共通の磁気コア１３を備えている。本例では一例として、トランス３は、１つの磁気コア１３と、この磁気コア１３に巻回された１つの一次巻線１１と、この磁気コア１３に巻回された複数の二次巻線１２（本例では一例として、３つの二次巻線１２１，１２２，１２３（以下、特に区別しないときには二次巻線１２ともいう））とを備えた１つのトランスで構成されている。この場合、各二次巻線１２は、それぞれが同一の仕様で（使用する線材が同じで、かつ巻数も同じに）形成されている。
【００２４】
一次側スイッチング部４は、主スイッチ素子２１を含んで構成されると共に、入力端子２とトランス３の一次巻線１１との間に配設されて、主スイッチ素子２１のスイッチング動作により直流電圧としての直流入力電圧Ｖｉｎを一次巻線１１に断続的に印加する。主スイッチ素子２１は、一例としてｎチャネル型のＭＯＳＦＥＴで構成されているが、これに限定されるものではなく、バイポーラ型トランジスタなどの種々の半導体スイッチを使用することができる。
【００２５】
各同期整流部５１，５２，５３は、２つの同期整流スイッチ素子３１，３２を含んで同一に構成されると共に、対応する二次巻線１２１，１２２，１２３にそれぞれ接続されて、対応する二次巻線１２１，１２２，１２３に発生する同一振幅の交流電圧Ｖａｃを同期整流して、同じ電圧値の電圧Ｖ１を出力する。
【００２６】
各平滑部６１，６２，６３は、平滑コンデンサ４１を含んで同一に構成されると共に、対応する同期整流部５１，５２，５３にそれぞれ接続されて、対応する同期整流部５１，５２，５３から出力される電圧Ｖ１を平滑して、同じ電圧値の直流電圧（出力電圧）Ｖ２として出力する。
【００２７】
各スイッチ駆動部７１，７２，７３は、対応する同期整流部５１，５２，５３にそれぞれ配設されて、配設された同期整流部５１，５２，５３に接続された対応する平滑部６１，６２，６３から出力される直流電圧Ｖ２および同期整流部５１，５２，５３が接続された対応する二次巻線１２１，１２２，１２３に発生する交流電圧Ｖａｃのうちのいずれか一方のみまたは両方のみで動作して、対応する同期整流部５１，５２，５３を構成する同期整流スイッチ素子３１，３２を駆動する。
【００２８】
上記した一次側スイッチング部４およびトランス３については、以下の各回路方式を採用することができる。また、上記した各二次巻線１２に接続される各同期整流部５、各同期整流部５に接続される各平滑部６、およびスイッチ駆動部７については、一次側スイッチング部４およびトランス３の各回路方式に対応して、下記の各回路形態を採用することができる。以下において、トランス３、一次側スイッチング部４、同期整流部５、平滑部６、およびスイッチ駆動部７について具体的に説明する。なお、各二次巻線１２に接続される各同期整流部５、各同期整流部５に接続される各平滑部６、および各スイッチ駆動部７については、一次側スイッチング部４およびトランス３の回路方式毎に同一の構成のため、一例として、二次巻線１２１、二次巻線１２１に接続される同期整流部５１、同期整流部５１に接続される平滑部６１、および同期整流部５１を駆動するスイッチ駆動部７１を例に挙げて説明する。
【００２９】
まず、一次側スイッチング部４およびトランス３について、図２に示す回路方式（シングルエンディッドフォーワード方式）を採用したときの二次巻線１２１、同期整流部５１および平滑部６１の各構成について説明する。なお、同期整流スイッチ素子３１，３２の一例として、ボディダイオードを備えたｎチャネル型のＭＯＳＦＥＴを例に挙げて説明するが、同期整流スイッチ素子３１，３２はこの構成に限定されるものではなく、ボディダイオードに代えて別体のダイオードを使用する構成などの公知の構成を採用することもできる。
【００３０】
この場合、同期整流部５１では、ソース端子同士が接続されることで直列接続された同期整流スイッチ素子３１，３２が、二次巻線１２１の一端であるドット端子とその他端である非ドット端子との間に接続されている。具体的には、同期整流スイッチ素子３１のドレイン端子が二次巻線１２１のドット端子に接続され、かつ同期整流スイッチ素子３２のドレイン端子が二次巻線１２１の非ドット端子に接続されている。
【００３１】
平滑部６１は、一例として、直列接続された平滑コンデンサ４１およびコイル４２を備えて、この直列回路が同期整流スイッチ素子３１に並列接続されることで、同期整流スイッチ素子３１のドレイン・ソース端子間に出力される電圧Ｖ１（ソース端子の電位を基準電位として、ドレイン端子側が高電位となる正電圧）を平滑して、直流電圧Ｖ２とするためのＬＣフィルタとして構成されている。平滑部６１は、その一対の出力端子４３１，４４１（区別のため、以下、平滑出力端子４３１，４４１ともいう）間から、つまり、平滑コンデンサ４１の両端間から、平滑出力端子４４１側の電位を基準電位（二次巻線１２１に接続された二次側回路（同期整流部５１、平滑部６１およびスイッチ駆動部７１で構成される回路）の基準電位）として、平滑出力端子４３１側が高電位となる正電圧として直流電圧Ｖ２を出力する。なお、図示はしないが、平滑コンデンサ４１だけの構成であってもよい。この場合、同期整流部５から出力される電圧Ｖ１は、平滑コンデンサ４１によって直ちに平滑されて直流電圧Ｖ２として出力される。
【００３２】
スイッチ駆動部７１は、トランス３の二次側に発生する電圧（二次巻線１２１に発生する交流電圧Ｖａｃや、同期整流部５１がこの交流電圧Ｖａｃを同期整流して出力する電圧Ｖ１を平滑部６１で平滑して発生させる直流電圧Ｖ２や、一次巻線１１および二次巻線１２と共にトランス３に形成された補助巻線に発生する交流電圧）のみで動作して、同期整流スイッチ素子３１，３２を駆動する。スイッチ駆動部７１としては、公知の種々の回路で構成することができる。
【００３３】
一例として、特開平１１−６９８０５号公報に記載されているような二次巻線（二次側巻線）の両端に同期整流スイッチ素子をクロス結合スイッチ状に接続する構成（本例の構成に適用した場合には、図２に示すように、二次巻線１２１のドット端子にドレイン端子が接続された同期整流スイッチ素子３１のゲート端子を二次巻線１２１の非ドット端子に接続し、二次巻線１２１の非ドット端子にドレイン端子が接続された同期整流スイッチ素子３２のゲート端子を二次巻線１２１のドット端子に接続する構成）を採用することができる。この構成では、同期整流スイッチ素子３１，３２の各ゲート端子には、スイッチ駆動部７１として機能する二次巻線１２１からの信号が、それぞれのソース端子の電位（平滑出力端子４４１の電位）を基準電位とするゲート駆動信号として入力される。
【００３４】
また、特開平１１−６９８０５号公報に記載されているようなゲート回路を使用する他の構成（本例の構成に適用した場合には、図３に示すように、同期整流スイッチ素子３１，３２のそれぞれに、対応する同期整流スイッチ素子のドレイン・ソース端子間電圧を検出して、対応する同期整流素子のゲート端子を駆動するゲート回路をスイッチ駆動部７１として接続する構成）を採用することができる。この構成においても、同期整流スイッチ素子３１，３２の各ゲート端子には、スイッチ駆動部７１として機能するゲート回路からの信号が、それぞれのソース端子の電位（平滑出力端子４４１の電位）を基準電位とするゲート駆動信号として入力される。
【００３５】
また、特開平１１−６９８０５号公報に記載されているようなゲート駆動回路を使用する他の構成（本例の構成に適用した場合には、図４に示すように、二次巻線１２１のドット端子と非ドット端子との間に接続されると共に、ドット端子に生じる電圧に基づいて、同期整流スイッチ素子３１，３２のソース端子の電位を基準電位とする作動電圧（Ｖｄｄ）を生成して動作して、同期整流スイッチ素子３１，３２のゲート端子を駆動するゲート駆動回路をスイッチ駆動部７１として接続する構成）を採用することができる。この構成においても、同期整流スイッチ素子３１，３２の各ゲート端子には、スイッチ駆動部７１として機能するゲート駆動回路からの信号が、それぞれのソース端子の電位（平滑出力端子４４１の電位）を基準電位とするゲート駆動信号として入力される。
【００３６】
また、特開２０１６−６３７３３号公報に記載されている種々のゲート駆動回路（補助巻線を使用したゲート駆動回路）のうちのいずれかを使用する構成を採用することもできる。本例の構成に適用した一例を示すと、図５に示すように、トランス３に二次巻線１２１と磁気的に結合する補助巻線１４１を二次巻線１２１毎に（各二次巻線１２１に対応させて）設けて、この補助巻線１４１と抵抗の直列回路を同期整流スイッチ素子３１のゲート端子とソース端子との間に接続し、かつコンデンサと抵抗の直列回路を二次巻線１２１のドット端子と同期整流スイッチ素子３２のゲート端子との間に接続してスイッチ駆動部７１を構成することもできる。この構成においても、同期整流スイッチ素子３１，３２の各ゲート端子には、スイッチ駆動部７１として機能する二次巻線１２１に発生する交流電圧Ｖａｃや補助巻線１４１に発生する電圧（交流電圧Ｖｓｂ）が、それぞれのソース端子の電位（平滑出力端子４４１の電位）を基準電位とするゲート駆動信号として入力される。
【００３７】
次に、一次側スイッチング部４およびトランス３について、図６に示す回路方式（プッシュプル方式）を採用したときの一次巻線１１、二次巻線１２１、同期整流部５１および平滑部６１の各構成について説明する。
【００３８】
この場合、一次側スイッチング部４は、主スイッチ素子２１、および主スイッチ素子２１と同等の他の主スイッチ素子２２を含んで構成されている。また、トランス３では、一次巻線１１にはセンタータップが設けられると共に、二次巻線１２１にもセンタータップが設けられている。各主スイッチ素子２１，２２は、主スイッチ素子２１のドレイン端子が一次巻線１１の一方の端子に接続され、主スイッチ素子２２のドレイン端子が一次巻線１１の他方の端子に接続され、かつ互いのソース端子が入力端子２ｂに接続されている。一次巻線１１のセンタータップは、入力端子２ａに接続されている。
【００３９】
同期整流部５１では、同期整流スイッチ素子３１，３２は、ソース端子同士が接続されている。同期整流スイッチ素子３１は、ドレイン端子が二次巻線１２１の一方の端子に接続され、同期整流スイッチ素子３２は、ドレイン端子が二次巻線１２１の他方の端子に接続されている。平滑部６１では、平滑コンデンサ４１およびコイル４２の直列回路が、二次巻線１２１のセンタータップと同期整流スイッチ素子３１，３２の各ソース端子との間に接続されることで、このセンタータップと各ソース端子間に出力される電圧Ｖ１を平滑して、直流電圧Ｖ２とするためのＬＣフィルタとして構成されている。この構成により、平滑部６１は、平滑出力端子４３１，４４１間（平滑コンデンサ４１の両端間）から、平滑出力端子４４１側の電位を基準電位として、平滑出力端子４３１側が高電位となる正電圧として直流電圧Ｖ２を出力する。なお、図示はしないが、平滑コンデンサ４１だけの構成であってもよい。
【００４０】
スイッチ駆動部７１は、一例として、二次巻線（二次側巻線）の両端に同期整流スイッチ素子をクロス結合スイッチ状に接続する上記の構成（本例の構成に適用した場合には、図６に示すように、二次巻線１２１の一方の端子にドレイン端子が接続された同期整流スイッチ素子３１のゲート端子を二次巻線１２１の他方の端子に接続し、二次巻線１２１の他方の端子にドレイン端子が接続された同期整流スイッチ素子３２のゲート端子を二次巻線１２１の一方の端子に接続する構成）を採用して構成されているが、これに限定されるものではない。図示はしないが、上記した図３，４のような駆動回路をスイッチ駆動部７１とする構成を採用することもできる。
【００４１】
続いて、一次側スイッチング部４およびトランス３について、図７に示す回路方式（ハーフブリッジ方式）を採用したときの一次巻線１１、二次巻線１２１、同期整流部５１および平滑部６１の各構成について説明する。なお、トランス３の二次側の各回路（二次巻線１２１、同期整流部５１および平滑部６１）については、上記した図６に示す回路と同一のため、同一の符号を付して重複する説明を省略する。
【００４２】
この場合、一次側スイッチング部４は、主スイッチ素子２１、主スイッチ素子２１と同等の他の主スイッチ素子２２、および同じ仕様の２つのコンデンサ２３，２４を含んで構成されている。２つの主スイッチ素子２１，２２は、主スイッチ素子２１のソース端子に主スイッチ素子２２のドレイン端子が接続されて直接接続されると共に、主スイッチ素子２１側が高電位側となり、かつ主スイッチ素子２２側が低電位側となる状態で入力端子２ａ，２ｂ間に接続されている。コンデンサ２３，２４も、互いに直接接続された状態で入力端子２ａ，２ｂ間に接続されている。一次巻線１１は、ドット端子が主スイッチ素子２１，２２同士の接続点（主スイッチ素子２１のソース端子）に接続され、非ドット端子がコンデンサ２３，２４同士の接続点に接続されている。
【００４３】
次いで、一次側スイッチング部４およびトランス３いついて、図８に示す回路方式（フルブリッジ方式）を採用したときの一次巻線１１、二次巻線１２１、同期整流部５１および平滑部６１の各構成について説明する。なお、トランス３の二次側の各回路（二次巻線１２１、同期整流部５１および平滑部６１）については、上記した図６に示す回路と同一のため、同一の符号を付して重複する説明を省略する。
【００４４】
この場合、一次側スイッチング部４は、主スイッチ素子２１、主スイッチ素子２１と同等の他の３つの主スイッチ素子２２，２５，２６を含んで構成されている。２つの主スイッチ素子２１，２２は、主スイッチ素子２１のソース端子に主スイッチ素子２２のドレイン端子が接続されて直接接続されると共に、主スイッチ素子２１側が高電位側となり、かつ主スイッチ素子２２側が低電位側となる状態で入力端子２ａ，２ｂ間に接続されている。また、２つの他の主スイッチ素子２５，２６も、主スイッチ素子２５のソース端子に主スイッチ素子２６のドレイン端子が接続されて直接接続されると共に、主スイッチ素子２５側が高電位側となり、かつ主スイッチ素子２６側が低電位側となる状態で入力端子２ａ，２ｂ間に接続されている。一次巻線１１は、ドット端子が主スイッチ素子２１，２２同士の接続点（主スイッチ素子２１のソース端子）に接続され、非ドット端子が主スイッチ素子２５，２６同士の接続点（主スイッチ素子２５のソース端子）に接続されている。
【００４５】
出力接続部８は、図１に示すように、複数の平滑部（本例では、平滑部６１，６２，６3の３つ）の後段に配設されて、各平滑部６１，６２，６３の出力（平滑部６１の平滑出力端子４３１，４４１と、平滑部６２の平滑出力端子４３２，４４２と、平滑部６３の平滑出力端子４３３，４４３と）を並列接続および直列接続のうちの選択された一方の接続態様で、出力端子９ａ，９ｂ間に接続することで、出力端子９ａ，９ｂから出力される電源装置１としての最終的な直流出力電圧Ｖｏｕｔの電圧値および出力電流Ｉｏｕｔの最大値を変更する。この構成により、電源装置１は、各平滑部６１，６２，６３から出力される直流電圧Ｖ２を、上記の選択された一方の接続態様に対応した直流出力電圧Ｖｏｕｔに変換して（つまり、この一方の接続態様が並列接続のときには、直流電圧Ｖ２をそのまま直流出力電圧Ｖｏｕｔとして、一方、この一方の接続態様が直列接続のときには、直流電圧Ｖ２を平滑部６の数だけ積み上げた電圧（本例では、直流電圧Ｖ２の３倍の電圧）を直流出力電圧Ｖｏｕｔとして）出力する。
【００４６】
具体的には、出力接続部８は、複数の平滑部（本例では、平滑部６１，６２，６３の３つ）のうちの直列接続された状態において最も高電位側に配置される平滑部の一対の平滑出力端子のうちの高電位側の平滑出力端子（本例では、平滑部６１の平滑出力端子４３１）を出力端子９ａに接続する配線５１と、この平滑部の一対の平滑出力端子のうちの低電位側の平滑出力端子（本例では、平滑部６１の平滑出力端子４４１）に接続された配線５２と、最も低電位側に配置される平滑部の一対の平滑出力端子のうちの低電位側の平滑出力端子（本例では、平滑部６３の平滑出力端子４４３）を出力端子９ｂに接続する配線５３と、この平滑部の一対の平滑出力端子のうちの高電位側の平滑出力端子（本例では、平滑部６２の平滑出力端子４３２）に接続された配線５４とを備えている。
【００４７】
また、出力接続部８は、最も高電位側に配置される平滑部および最も低電位側に配置される平滑部以外の各平滑部の一対の平滑出力端子のうちの高電位側の平滑出力端子（本例では、平滑部６２の平滑出力端子４３２）に接続された配線５５と、各平滑部の一対の平滑出力端子のうちの低電位側の平滑出力端子（本例では、平滑部６２の平滑出力端子４４２）に接続された配線５６とを備えている。
【００４８】
また、出力接続部８は、配線５４を配線５１に接続するための接続部５７、配線５５を配線５１に接続するための接続部５８、配線５２を配線５３に接続するための接続部５９、配線５６を配線５３に接続するための接続部６０、配線５２を配線５５に接続するための接続部６１、および配線５６を配線５４に接続するための接続部６２を備えている。
【００４９】
具体的には、各接続部５７〜６２は、各配線５１〜５６が回路基板に形成された配線パターンで構成するときには、例えば、対応する配線同士を接続するために近接して形成された一対のスルーホールや、近接して立設された一対のピンヘッダで構成することができる。また、各接続部５７〜６２を一対のスルーホールで構成するときには、一対のスルーホールにジャンパー線（鉄系や、銅系などの非鉄系の金属線）を半田付けなどで実装して、スルーホール間を短絡することで、配線同士を接続することができる。また、各接続部５７〜６２を一対のピンヘッダで構成するときには、一対のピンヘッダに短絡用コネクタを実装して、ピンヘッダ間を短絡することで、配線同士を接続することができる。
【００５０】
次に、電源装置１の使用方法と動作とについて説明する。
【００５１】
まず、電源装置１の出力端子９ａ，９ｂ間から出力される直流出力電圧Ｖｏｕｔを、直流電圧Ｖ２の３倍（＝３×Ｖ２）に変更するときの使用方法と動作とについて説明する。
【００５２】
この場合、各平滑部６１，６２，６３の出力（平滑部６１の平滑出力端子４３１，４４１と、平滑部６２の平滑出力端子４３２，４４２と、平滑部６３の平滑出力端子４３３，４４３と）を、出力接続部８において直列接続して、出力端子９ａ，９ｂ間に接続する。具体的には、各接続部５７〜６２のうちの２つの接続部６１，６２のみを短絡させることで、各平滑部６１，６２，６３の出力を直列接続して、出力端子９ａ，９ｂ間に接続する。
【００５３】
これにより、この構成の電源装置１は、直流電圧Ｖ２の３倍（＝３×Ｖ２）の直流出力電圧Ｖｏｕｔを出力端子９ａ，９ｂ間から出力する。また、この構成の電源装置１では、トランス３の二次巻線１２１，１２２，１２３に接続された各二次側回路が直列接続される構成であることから、各二次側回路の出力電流の最大値と同じ最大値の出力電流Ｉｏｕｔを出力端子９ａ，９ｂ間から出力することが可能となっている。
【００５４】
この場合、この直列接続状態では、最も低電位側に配置される平滑部６３の高電位側の平滑出力端子４３３が、平滑部６２の低電位側の平滑出力端子４４２（トランス３の二次巻線１２２に接続された二次側回路の基準電位となる端子）に接続され、かつこの平滑部６２の高電位側の平滑出力端子４３２が、最も高電位側に配置される平滑部６１の低電位側の平滑出力端子４４１（トランス３の二次巻線１２１に接続された二次側回路の基準電位となる端子）に接続される。しかしながら、トランス３の二次巻線１２１，１２２，１２３に接続された各二次側回路では、上記したように、各スイッチ駆動部７１，７２，７３がそれぞれの二次側回路での基準電位を基準とする電圧（交流電圧Ｖａｃや直流電圧Ｖ１，Ｖ２など）に基づいて動作して、対応する同期整流部５１，５２，５３に含まれる各同期整流スイッチ素子３１，３２に対してそれぞれの二次側回路での基準電位を基準とするゲート駆動信号を出力して駆動する。
【００５５】
したがって、この電源装置１では、同期整流部５および平滑部６で構成される同期整流式の整流平滑回路を有して直流電圧Ｖ２、ひいては直流出力電圧Ｖｏｕｔ（＝３×Ｖ２）への変換効率を高め、かつゲート電圧に対する耐性の低い安価な電界効果型トランジスタを同期整流スイッチ素子３１，３２に使用可能とすることで製品コストの上昇を回避しつつ、電源装置１からの直流出力電圧Ｖｏｕｔを直流電圧Ｖ２の３倍に変更することが可能となっている。
【００５６】
次に、電源装置１の出力端子９ａ，９ｂ間から出力される直流出力電圧Ｖｏｕｔを直流電圧Ｖ２と同電圧に変更し、かつ出力端子９ａ，９ｂ間から出力される出力電流Ｉｏｕｔの最大値を各二次側回路の出力電流の最大値の３倍に変更するときの使用方法と動作とについて説明する。
【００５７】
この場合、各平滑部６１，６２，６３の出力（平滑部６１の平滑出力端子４３１，４４１と、平滑部６２の平滑出力端子４３２，４４２と、平滑部６３の平滑出力端子４３３，４４３と）を、出力接続部８において並列接続して、出力端子９ａ，９ｂ間に接続する。具体的には、各接続部５７〜６２のうちの４つの接続部５７，５８，５９，６０のみを短絡させることで、各平滑部６１，６２，６３の出力を並列接続して、出力端子９ａ，９ｂ間に接続する。
【００５８】
これにより、この構成の電源装置１では、各二次側回路の出力電流の最大値の３倍の電流値が最大値となる出力電流Ｉｏｕｔを出力端子９ａ，９ｂ間から出力することが可能となっている（つまり、出力端子９ａ，９ｂ間から出力し得る出力電流Ｉｏｕｔの最大値を、各二次側回路の出力電流の最大値の３倍に変更することが可能となっている）。また、この構成の電源装置１では、トランス３の二次巻線１２１，１２２，１２３に接続された各二次側回路が並列接続される構成であることから、各二次側回路の直流電圧Ｖ２がそのまま出力端子９ａ，９ｂ間から直流出力電圧Ｖｏｕｔとして出力される。
【００５９】
したがって、この電源装置１では、同期整流部５および平滑部６で構成される同期整流式の整流平滑回路を有して各二次側回路からの出力電流、ひいては出力端子９ａ，９ｂ間からの出力電流Ｉｏｕｔへの変換効率を高め、かつゲート電圧に対する耐性の低い安価な電界効果型トランジスタを同期整流スイッチ素子３１，３２に使用可能とすることで製品コストの上昇を回避しつつ、電源装置１からの出力電流Ｉｏｕｔを、各二次側回路からの出力電流の３倍に変更することが可能となっている。
【００６０】
このように、この電源装置１では、トランス３の二次巻線１２１，１２２，１２３に接続された各二次側回路では、各スイッチ駆動部７１，７２，７３がそれぞれの二次側回路での基準電位を基準とする電圧（二次巻線１２１，１２２，１２３に発生する交流電圧Ｖａｃおよび平滑部６１，６２，６３から出力される直流電圧Ｖ２）に基づいて動作して、対応する同期整流部５１，５２，５３に含まれる各同期整流スイッチ素子３１，３２に対してそれぞれの二次側回路での基準電位を基準とするゲート駆動信号を出力して駆動する。
【００６１】
したがって、この電源装置１によれば、同期整流部５および平滑部６で構成される同期整流式の整流平滑回路を有して各二次側回路からの出力電圧および出力電流、ひいては出力端子９ａ，９ｂ間からの直流出力電圧Ｖｏｕｔおよび出力電流Ｉｏｕｔへの変換効率を高め、かつゲート電圧に対する耐性の低い安価な電界効果型トランジスタを同期整流スイッチ素子３１，３２に使用可能とすることで製品コストの上昇を回避しつつ、平滑部６１，６２，６３の後段に配設された出力接続部８に含まれる各接続部５７〜６２のうちの短絡させる接続部を選択することで、出力端子９ａ，９ｂ間からの直流出力電圧Ｖｏｕｔを変更したり、出力端子９ａ，９ｂ間からの出力電流Ｉｏｕｔの最大値を変更したりすることができる。
【００６２】
なお、トランス３の二次側回路（同期整流部５、平滑部６およびスイッチ駆動部７で構成される回路））の数を３つとした例を挙げて説明したが、２つとしてもよいし、４つ以上とすることもできる。また、トランス３を１つとした例を挙げて説明したが、図示はしないが、例えば、二次側回路の数と同数の同一仕様のトランスを備え、各トランスの一次巻線を共通の一次側スイッチング部４で同時に駆動する構成を採用することもできる。また、トランス３の二次側回路から出力される直流電圧Ｖ２に基づく一次側スイッチング部４に対するスイッチング制御を実行する制御回路については、公知の種々の回路を採用することができるため、その説明を省略した。
【００６３】
また、上記の例では、１つの二次巻線１２の概念には、センタータップを備えた構成と、センタータップを備えていない構成とが含まれるものとして説明したが、１つの磁気コア１３に同じ巻回数で形成した複数の巻線を極性を揃えて並列接続して１つの巻線としたこの巻線についても１つの二次巻線１２の概念に含まれるものとする。
【００６４】
この電源装置１は、直流出力電圧Ｖｏｕｔに基づいて動作する医療機器を出力端子９ａ，９ｂに接続することで、医療システムに用いることができる。
【００６５】
以下において、この電源装置１を備えた医療システムＭＥＳ１について、図９を参照して説明する。なお、電源装置１のトランス３は、医療用規格に合致した絶縁性能を有している（強化絶縁されている）ものとする。また、出力端子９ａ，９ｂには、医療機器７１が接続されているものとする。また、電源装置１の筐体Ｈには、接地のためのＦＧラインが接続されているものとする。また、電源装置１の上記した構成と同一の構成については同一の符号を付して重複する説明を省略する。
【００６６】
この場合、電源装置１は、入力ライン（Ｌ相ライン，Ｎ相ライン）間から供給される交流入力電圧Ｖｘを一対の入力端子としての一対の交流入力端子７２ａ，７２ｂを介して入力して動作する。このため、電源装置１は、その内部に、一対の交流入力端子７２ａ，７２ｂに一対の電源ライン７３，７４を介して接続された整流平滑部７５を備え、この整流平滑部７５が、入力ラインＬ，Ｎと一対の交流入力端子７２ａ，７２ｂと一対の電源ライン７３，７４とを介して入力される交流入力電圧Ｖｘを整流平滑して直流入力電圧Ｖｉｎを生成して、一次側スイッチング部４に出力するように構成されている。この場合、整流平滑部７５は、力率改善回路（ＰＦＣ回路）を含む構成にすることもできる。また、電源装置１は、その内部に、一対の電源ライン７３，７４に介装されたヒューズ７６（またはブレーカ）を備えている。
【００６７】
この電源装置１を備えた医療システムＭＥＳ１によれば、電源装置１が、上記のように強化絶縁されたトランス３とヒューズ７６とを備えて単体で医療用規格を取得可能な構成を有しているため、電源装置１の外部（具体的には、電源装置１に接続される入力ライン（Ｌ相ライン，Ｎ相ライン））に絶縁トランスおよびヒューズ（またはブレーカ）を介装することなく、医療用規格を取得可能な構成を実現することができる。また、この医療システムＭＥＳ１によれば、電源装置１を備えたことにより、上記した電源装置１単体での効果を奏することができる。
【００６８】
また、上記の医療システムＭＥＳ１では、電源装置１が内部にヒューズ７６（またはブレーカ）を備える構成であったが、内部にヒューズ７６（またはブレーカ）を備えていない電源装置１で医療システムを構成することもできる。以下、この構成を採用した医療システムＭＥＳ２について図１０を参照して説明する。なお、上記した医療システムＭＥＳ１と同一の構成については同一の符号を付して重複する説明については省略し、医療システムＭＥＳ１と相違する構成について主として説明する。
【００６９】
この医療システムＭＥＳ２では、ヒューズ７６（またはブレーカ）は、図１０に示すように、入力ライン（Ｌ相ライン，Ｎ相ライン）に介装されている。この構成により、入力ライン（Ｌ相ライン，Ｎ相ライン）間から供給される交流入力電圧Ｖｘは、ヒューズ７６（またはブレーカ）を介して電源装置１の交流入力端子７２ａ，７２ｂに入力される。
【００７０】
この電源装置１を備えた医療システムＭＥＳ２によれば、電源装置１が、上記のように強化絶縁されたトランス３を備えているため、電源装置１の外部（具体的には、電源装置１に接続される入力ライン（Ｌ相ライン，Ｎ相ライン））にヒューズ７６（またはブレーカ）を介装するだけで、医療用規格を取得可能な構成を実現することができる。また、この医療システムＭＥＳ２によれば、電源装置１を備えたことにより、上記した電源装置１単体での効果を奏することができる。
【００７１】
また、上記の医療システムＭＥＳ１，ＭＥＳ２では、電源装置１の内部および外部のいずれか一方にのみヒューズ７６（またはブレーカ）を介装する構成であったが、電源装置１の内部および外部の双方にヒューズ７６（またはブレーカ）を介装する構成を採用することもできる。以下、この構成を採用した医療システムＭＥＳ３について図１１を参照して説明する。なお、上記した医療システムＭＥＳ１，ＭＥＳ２と同一の構成については同一の符号を付して重複する説明については省略し、医療システムＭＥＳ１，ＭＥＳ２と相違する構成について主として説明する。
【００７２】
この医療システムＭＥＳ３では、電源装置１は、一対の電源ライン７３，７４のうちの一方の電源ライン（本例では一例として、電源ライン７４）に介装された第１ヒューズとしてのヒューズ７６１（または第１ブレーカとしてのブレーカ）を内部に備えている。また、電源装置１の外部には、一対の電源ライン７３，７４のうちの他方の電源ライン（本例では一例として、電源ライン７３）に入力端子（本例では、交流入力端子７２ａ）を介して接続される入力ライン（本例では、Ｌ相ライン）に介装された状態で、第２ヒューズとしてのヒューズ７６２（または第２ブレーカとしてのブレーカ）が配設されている。なお、図示はしないが、第１ヒューズとしてのヒューズ７６１（または第１ブレーカとしてのブレーカ）を電源ライン７３に介装し、これに対応して、第２ヒューズとしてのヒューズ７６２（または第２ブレーカとしてのブレーカ）をＮ相ラインに介装する構成を採用することもできる。
【００７３】
この電源装置１を備えた医療システムＭＥＳ３によれば、電源装置１が、上記のように強化絶縁されたトランス３と一方の電源ライン（電源ライン７４または電源ライン７３）に介装されたヒューズ７６１（ブレーカ）とを内部に備えているため、電源装置１の外部（具体的には、電源装置１に接続される入力ライン（Ｌ相ライン，Ｎ相ライン）のうちの他方の電源ラインに接続される入力ライン（Ｌ相ラインまたはＮ相ライン））に他のヒューズ７６２（またはブレーカ）を介装するだけで、医療用規格を取得可能な構成を実現することができる。また、この医療システムＭＥＳ３によれば、電源装置１を備えたことにより、上記した電源装置１単体での効果を奏することができる。
【符号の説明】
【００７４】
１  電源装置
３  トランス
４  一次側スイッチング部
５１，５２，５３  同期整流部
６１，６２，６３  平滑部
７１，７２，７３  スイッチ駆動部
８  出力接続部
１１  一次巻線
１２１，１２２，１２３  二次巻線
３１，３２  同期整流スイッチ素子
４１  平滑コンデンサ
Ｖ１  電圧
Ｖ２  直流電圧
Ｖａｃ  交流電圧
Ｖｉｎ  直流入力電圧
【図１】
2020150570.tif 000003
【図２】
2020150570.tif 000004
【図３】
2020150570.tif 000005
【図４】
2020150570.tif 000006
【図５】
2020150570.tif 000007
【図６】
2020150570.tif 000008
【図７】
2020150570.tif 000009
【図８】
2020150570.tif 000010
【図９】
2020150570.tif 000011
【図１０】
2020150570.tif 000012
【図１１】
2020150570.tif 000013